(57)【要約】      （修正有）【課題】繰り返し使用によるしわ寄れが発生し難く、耐久性が向上される着脱自在粘着シートを提供する。【解決手段】着脱自在粘着シート１０は、主に、基材１１と、基材１１の一主面１１Ａ側に形成された印刷用コーティング層１２と、印刷用コーティング層１２の上面に形成された印刷層１３と、基材１１の他の主面１１Ｂ側に形成されたプライマー層１４と、プライマー層１４の下面に形成された粘着層１５と、を有している。そして、基材１１には、エンボス加工が施されることで、着脱自在粘着シート１０の表裏面には、エンボス加工による凹凸形状が形成される。【選択図】図１
0003220537.tif 000002
【実用新案登録請求の範囲】
【請求項１】
基材と、
前記基材の一主面側に形成された印刷層と、
前記基材の前記一主面と反対側の他の主面側に形成された粘着層と、を有し、
前記基材の前記一主面及び前記他の主面には、エンボス加工が施されていることを特徴とする着脱自在粘着シート。
【請求項２】
基材と、
前記基材の一主面側に形成された印刷層と、
前記印刷層の表面に形成された反射シート層、蓄光シート層またはホワイトボードシート層と、
前記基材の前記一主面と反対側の他の主面側に形成された粘着層と、を有し、
前記基材の前記一主面及び前記他の主面には、エンボス加工が施されていることを特徴とする着脱自在粘着シート。
【請求項３】
前記基材と前記印刷層との間には、印刷用コーティング層が形成されていることを特徴とする請求項１または請求項２に記載の着脱自在粘着シート。
【請求項４】
基材と、
前記基材の一主面側に形成された反射シート層または蓄光シート層と、
前記反射シート層または前記蓄光シート層の上面に形成された印刷層と、
前記基材の前記一主面と反対側の他の主面側に形成された粘着層と、を有し、
前記基材の前記一主面及び前記他の主面には、エンボス加工が施されていることを特徴とする着脱自在粘着シート。
【請求項５】
前記反射シート層または前記蓄光シート層と前記印刷層との間には、印刷用コーティング層が形成されていることを特徴とする請求項４に記載の着脱自在粘着シート。
【請求項６】
粘着層の表面には、セパレーターが貼り付けられ、前記セパレーターを剥離した後の前記粘着層は、被貼付体に対して繰り返し着脱可能であることを特徴とする請求項３または請求項５に記載の着脱自在粘着シート。
【請求項７】
前記基材と前記粘着層との間には、プライマー層が形成されていることを特徴とする請求項６に記載の着脱自在粘着シート。
【考案の詳細な説明】
【技術分野】
【０００１】
本考案は、建築物の壁等の平滑面を有する被貼付体に対して、繰り返し貼ったり、剥がしたりすることが出来ると共に、しわ寄れが発生し難い着脱自在粘着シートに関する。
【背景技術】
【０００２】
特許文献１には、従来のマグネット式汚れ防止シートが開示されている。マグネット式汚れ防止シートは、例えば、磁性粉と樹脂等を混合して成形されたマグネットシートと、マグネットシートの片面に形成され、シリコーン樹脂等から成る塗料が塗布された非粘着層と、を有している。そして、マグネット式汚れ防止シートは、塗装ブースの壁面等磁性を活用できる場所に対して、繰り返し貼り付けたり、剥がしたりすることで、塗装作業による壁面の汚れを防止することができる。
【０００３】
特許文献２には、従来のガラス粘着シートが開示されている。ガラス粘着シートは、例えば、支持フィルム層と、支持フィルム層の表面に形成された表面シートと、支持フィルム層の裏面に形成された粘着剤層と、粘着剤層に貼り合された剥離シートと、を有している。そして、ガラス粘着シートは、窓ガラスやドアガラス等のガラス面に対して、上記粘着剤層を介して接着、剥離を可能に貼り付けられる。
【先行技術文献】
【特許文献】
【０００４】
【特許文献１】特開２００１−２４６３１６号公報
【特許文献２】実用新案登録第３１６４１９２号公報
【考案の概要】
【考案が解決しようとする課題】
【０００５】
特許文献１に記載のマグネット式汚れ防止シートは、上述したように、磁性を活用できる壁面等に対しては、繰り返し貼り付けたり、剥がしたりすることは出来るが、アルミ材等非磁性の壁面等に対しては、使用することが出来ないという課題がある。
【０００６】
また、マグネット式汚れ防止シートでは、マグネットシート部分が重く、形状が大きくなるにつれて重くなり、取扱い難いという課題がある。また、マグネット式汚れ防止シートは、特許文献２に記載のガラス粘着シートと比較しても、その使用材料により高価になってしまうという課題がある。
【０００７】
一方、特許文献２に記載のガラス粘着シートでは、上述したマグネット式汚れ防止シートの課題は解決することはできる。しかしながら、ガラス粘着シートでは、繰り返し使用することで、特に、使用者が指で抓み、剥離を行う領域にしわが寄り易く、しわが寄った領域では、印刷面が剥げたり、表面シートが破れたりする等、耐久性に課題がある。
【０００８】
本考案は、上記の事情に鑑みて成されたものであり、建築物の壁等の平滑面を有する被貼付体に対して、繰り返し貼ったり、剥がしたりすることが出来ると共に、しわ寄れが発生し難い着脱自在粘着シートを提供するものである。
【課題を解決するための手段】
【０００９】
本考案の着脱自在粘着シートでは、基材と、前記基材の一主面側に形成された印刷層と、前記基材の前記一主面と反対側の他の主面側に形成された粘着層と、を有し、前記基材の前記一主面及び前記他の主面には、エンボス加工が施されていることを特徴とする。
【００１０】
また、本考案の着脱自在粘着シートでは、基材と、前記基材の一主面側に形成された印刷層と、前記印刷層の表面に形成された反射シート層、蓄光シート層またはホワイトボードシート層と、前記基材の前記一主面と反対側の他の主面側に形成された粘着層と、を有し、前記基材の前記一主面及び前記他の主面には、エンボス加工が施されていることを特徴とする。
【００１１】
また、本考案の着脱自在粘着シートでは、基材と、前記基材の一主面側に形成された反射シート層または蓄光シート層と、前記反射シート層または前記蓄光シート層の上面に形成された印刷層と、前記基材の前記一主面と反対側の他の主面側に形成された粘着層と、を有し、前記基材の前記一主面及び前記他の主面には、エンボス加工が施されていることを特徴とする。
【考案の効果】
【００１２】
本考案の着脱自在粘着シートは、基材と、基材の一主面側に形成された印刷層と、基材の一主面と反対側の他の主面側に形成された粘着層と、を有し、基材の一主面及び他の主面には、エンボス加工が施されている。この構造により、着脱自在粘着シートの表裏面には、エンボス加工による凹凸形状が形成され、繰り返しの使用により、着脱自在粘着シートにしわ寄れが発生し難く、着脱自在粘着シートの耐久性が向上される。
【００１３】
また、本考案の着脱自在粘着シートは、基材と、基材の一主面側に形成された印刷層と、印刷層の表面に形成された反射シート層、蓄光シート層またはホワイトボードシート層と、基材の一主面と反対側の他の主面側に形成された粘着層と、を有し、基材の一主面及び他の主面には、エンボス加工が施されている。この構造により、着脱自在粘着シートは、ホワイトボードとして用いることができ、着脱自在粘着シートを非磁性の壁等に貼り付け、ミーティングを行い、その内容を保存することができる。
【００１４】
また、本考案の着脱自在粘着シートでは、基材と、基材の一主面側に形成された反射シート層または蓄光シート層と、反射シート層または蓄光シート層の上面に形成された印刷層と、基材の一主面と反対側の他の主面側に形成された粘着層と、を有し、基材の一主面及び他の主面には、エンボス加工が施されている。この構造により、着脱自在粘着シートは反射シートとして用いることができ、着脱自在粘着シートを夜間の外出時のバッグ等に貼り付けることで、安全性を確保することができる。一方、日中の外出時には、バッグから上記着脱自在粘着シートを剥がすことで、デザイン性を損なうことが防止される。
【図面の簡単な説明】
【００１５】
【図１】本考案の実施の形態における着脱自在粘着シートを説明するための（Ａ）平面図（Ｂ）断面図である。
【図２】本考案の他の実施の形態における着脱自在粘着シートを説明するための断面図である。
【図３】本考案の他の実施の形態における着脱自在粘着シートを説明するための断面図である。
【考案を実施するための形態】
【００１６】
以下に、本考案の第１実施形態である着脱自在粘着シート１０（以下、「粘着シート１０」と呼ぶ」）について説明する。図１（Ａ）は、本実施の一形態である粘着シート１０の平面図である。図１（Ｂ）は、図１（Ａ）に示す粘着シート１０のＡ−Ａ線方向の断面図である。
【００１７】
図１（Ａ）に示す如く、粘着シート１０は、粘着層１５（図１（Ｂ）参照）を介して、建築物の壁や窓ガラス等、平滑面や多少の凹凸を有する平滑面に対して繰り返し貼ったり、剥がしたりすることが出来るシートである。そして、粘着シート１０は、マグネット層を有することなく、粘着層１５にて着脱自在なシートであり、軽量化が実現されると共に、アルミ材等非磁性の壁面等に対しても繰り返し貼り付けることができる。
【００１８】
図１（Ｂ）に示す如く、粘着シート１０は、主に、基材１１と、基材１１の一主面１１Ａ側に形成された印刷用コーティング層１２と、印刷用コーティング層１２の上面に形成された印刷層１３と、基材１１の他の主面１１Ｂ側に形成されたプライマー層１４と、プライマー層１４の下面に形成された粘着層１５と、粘着層１５の下面に貼り合されたセパレーター１６と、を有している。
【００１９】
基材１１は、例えば、化学繊維シートである。そして、化学繊維シートは、ポリエステル繊維、ポリ塩化ビニル、フタル酸系可塑剤、防炎剤、安定剤、顔料、防黴剤等から形成されたものを使用する。
【００２０】
印刷用コーティング層１２は、基材１１の一主面１１Ａ側の全面に塗工される。印刷用コーティング層１２は、印刷インキの定着性を向上させるための層であり、例えば、ポリエステル系、塩素化ポリプロピレン系またはそれらを適宜調合した粘着性溶剤である。
【００２１】
印刷層１３は、印刷インキにて印刷用コーティング層１２上面に形成される。印刷層としては、例えば、文字や図柄、キャラクター等が形成される。
【００２２】
プライマー層１４は、基材１１の一主面１１Ａ側の全面に塗工される。プライマー層１４は、基材１１と粘着層１５との粘着性を向上させるための層である。
【００２３】
粘着層１５は、プライマー層１４の下面に形成され、上述した建築物の壁や窓ガラス等の被貼付体に対して、繰り返し着脱可能に貼り付けられる層である。粘着層１５は、例えば、アクリル酸アルキル・アクリロニトル共重合体水性エマルジョン、界面活性剤、ポリオキシエチレンフルキルエーテル、ステアリン酸アンモニーム、ミネラルターペン、ジフェニールメタンビスエチレン尿素等で形成される。尚、粘着層１５を構成する材料としては、被貼付体に対して繰り返し着脱可能に貼り付けられる粘着力を有していれば良く、任意の設計変更が可能である。
【００２４】
セパレーター１６は、例えば、クラフト紙、グラシン紙やＰＥＴフィルムの表面にシリコーン樹脂を敷いたシート等を、適宜、選択して用いられる。尚、セパレーター１６は、粘着シート１０の使用時に粘着層１５から剥がされ、不使用時には、再び、粘着層１５に貼り付けられる場合でも良い。
【００２５】
本実施の形態では、基材１１の一主面１１Ａ及び他の主面１１Ｂに対して、エンボス加工を施している。例えば、シリンダーの表面に上記エンボスの絵柄に合わせた彫刻が施されたアニロックスロールを用いて、基材１１の一主面１１Ａ及び他の主面１１Ｂの全面に対して、エンボス加工が施されている。
【００２６】
上述したように、エンボス加工が施された基材１１の一主面１１Ａ側及び他の主面１１Ｂ側に、上記印刷用コーティング層１２、印刷層１３、プライマー層１４及び粘着層１５が形成される。その結果、粘着シート１０の最表面層となる印刷層１３及び粘着層１５の表面にも、上記エンボス加工による凹凸形状が形成される。
【００２７】
粘着シート１０は、使用目的に応じて、図１（Ａ）に示す矩形形状や初心者マーク等の図柄形状等に合わせて切り出されて使用されるが、切り出された粘着シート１０にも、その基材１１へのエンボス形状が形成され、また、粘着シート１０の表面及び裏面にも、上記エンボス加工による凹凸形状が形成される。
【００２８】
この構造により、使用者は、建築物の壁や窓ガラス等に対して、粘着シート１０を繰り返し貼ったり、剥がしたりするが、特に、粘着シート１０を剥がす際に抓む部分やその周辺に対して、上記基材１１へのエンボス形状や最表面の上記凹凸形状が存在することで、しわ寄れが発生し難くなる。その結果、印刷層１３や粘着層１５が、基材１１から剥がれ難くなると共に、粘着シート１０自体が破損し難くなり、粘着シート１０の耐久性が向上される。
【００２９】
また、被貼付体に対して粘着シート１０を貼り付ける際に、例えば、粘着シート１０の表面を手のひらで擦ることで、粘着層１５と被貼付体との間の空気を、粘着層１５の上記凹凸形状を介して、簡単に粘着シート１０の外側へと追い出すことができる。その結果、粘着シート１０は、被貼付体に対してしっかりと貼り付くことができ、被貼付体から剥がれ難くなる。例えば、車体に貼り付けられた初心者マークも、走行中の風圧によっても剥がれ難くなる。
【００３０】
次に、本考案の第２実施形態である着脱自在粘着シート２０（以下、「粘着シート２０」と呼ぶ」）について説明する。図２は、本実施の一形態である粘着シート２０の断面図であり、図１（Ａ）のＡ−Ａ線断面と同じ断面を示している。尚、粘着シート２０は、図１（Ａ）及び図１（Ｂ）を用いて説明した粘着シート１０とは、その構造の一部が異なるが、その他の部分は同一である。そのため、構造の同一部分に関しては、同一の符番を用い、その説明を参酌し、繰り返しの説明は省略する。
【００３１】
粘着シート２０は、主に、基材１１と、基材１１の一主面１１Ａ側に形成されたプライマー層１４と、プライマー層１４の上面に形成された特殊性基材層２１と、特殊性基材層２１の上面に形成された印刷用コーティング層１２と、印刷用コーティング層１２の上面に形成された印刷層１３と、基材１１の他の主面１１Ｂ側に形成されたプライマー層１４と、プライマー層１４の下面に形成された粘着層１５と、粘着層１５の下面に貼り合されたセパレーター１６と、を有している。
【００３２】
特殊性基材層２１は、例えば、反射シート層や蓄光シート層であり、印刷層１３の下面に配置することで、印刷層１３と重なっていない領域の粘着シート２０を光らせることができる。例えば、自転車や夜間外出時の持ち物に貼り付けることで、粘着シート２０を反射シートとして用いることができる。そして、日中に上記持ち物を使用する際には、粘着シート２０を取り外すことで、デザイン性を損なうこともなく、粘着シート２０は、デザイン性と安全性とを両立させることもできる。
【００３３】
図１（Ａ）及び図１（Ｂ）を用いて上述したように、粘着シート２０の基材１１にはエンボス加工が施され、粘着シート２０の印刷層１３や粘着層１５には、上記エンボス加工による凹凸形状が形成されている。この構造により、粘着シート２０を繰り返し使用しても、しわ寄れが発生し難くなり、粘着シート２０の耐久性を向上させることができる。
【００３４】
次に、本考案の第３実施形態である着脱自在粘着シート３０（以下、「粘着シート３０」と呼ぶ」）について説明する。図３は、本実施の一形態である粘着シート３０の断面図であり、図１（Ａ）のＡ−Ａ線断面と同じ断面を示している。尚、粘着シート３０は、図１（Ａ）及び図１（Ｂ）を用いて説明した粘着シート１０、２０とは、その構造の一部が異なるが、その他の部分は同一である。そのため、構造の同一部分に関しては、同一の符番を用い、その説明を参酌し、繰り返しの説明は省略する。
【００３５】
粘着シート３０は、主に、基材１１と、基材１１の一主面１１Ａ側に形成された印刷用コーティング層１２と、印刷用コーティング層１２の上面に形成された印刷層１３と、印刷層１３の上面に形成されたプライマー層１４と、プライマー層１４の上面に形成された特殊性基材層３１と、基材１１の他の主面１１Ｂ側に形成されたプライマー層１４と、プライマー層１４の下面に形成された粘着層１５と、粘着層１５の下面に形成されたセパレーター１６と、を有している。
【００３６】
特殊性基材層３１は、例えば、ホワイトボードシート層、反射シート層や蓄光シート層であり、粘着シート３０の最上面に配置されている。特殊性基材層３１としてホワイトボードシート層を用いた場合には、粘着シート３０をホワイトボードとして用いることができる。上述したように、粘着層１５は、非磁性の壁面等の被貼付体に対しても繰り返し貼り付けることができるので、粘着シート３０をホワイトボードとして用いてミーティングを行い、その内容を保存することができる。
【００３７】
また、粘着シート３０は、マグネット式のホワイトボードと比較して軽量化されているため、持ち運びも容易である。上述したように、被貼付体に対して粘着シート３０を貼り付ける際に、粘着層１５と被貼付体との間の空気を簡単に粘着シート３０の外側へと追い出すことができるので、ホワイトボードシート層の表面が平坦面となり、ミーティング時の文字等が書き易くなる。
【００３８】
図１（Ａ）及び図１（Ｂ）を用いて上述したように、粘着シート３０の基材１１にはエンボス加工が施され、粘着シート３０の印刷層１３や粘着層１５には、上記エンボス加工による凹凸形状が形成されている。この構造により、粘着シート３０を繰り返し使用しても、しわ寄れが発生し難くなり、粘着シート３０の耐久性を向上させることができる。
【００３９】
尚、本実施の形態では、粘着シート１０、２０、３０において、基材１１の一主面１１Ａ側及び他の主面１１Ｂ側にエンボス加工を施した後に、印刷層１３や粘着層１５等を形成する構造について説明したが、この場合に限定するものではない。例えば、エンボス加工を施していない基材１１に対して、印刷層１３や粘着層１５等を形成した後に、最後の工程にてエンボス加工を施した構造の場合でも、粘着シート１０、２０、３０を繰り返し貼ったり、剥がしたりすることでのしわ寄れが防止される等、上述した効果と同様な効果を得ることができる。その他、本考案の要旨を逸脱しない範囲で、種々の変更が可能である。
【符号の説明】
【００４０】
１０、２０、３０  着脱自在粘着シート
１１  基材
１１Ａ  一主面
１１Ｂ  他の主面
１２  印刷用コーティング層
１３  印刷層
１４  プライマー層
１５  粘着層
１６  セパレーター
２１、３１  特殊性基材層
【図１】
0003220537.tif 000003
【図２】
0003220537.tif 000004
【図３】
0003220537.tif 000005